(57)【要約】  【課題】ローカル信号に必要となるＣ／Ｎ特性に応じてＶＣＯの電流値を制御することにより、消費電流の削減を可能とした無線装置を提供する。  【解決手段】アンテナから供給される受信信号を増幅するＬＮＡ２と、第１のＶＣＯ７と、第１のＶＣＯの出力が供給されるローカルアンプ５と、ＬＮＡの出力とローカルアンプが出力するローカル信号とをミキシングする復調器３と、復調器の出力信号を増幅するＧＣＡ１０と、ＧＣＡの出力信号から妨害波に対応する信号を除去するＬＰＦ４と、ＧＣＡの出力信号レベルを検波する第１の検波回路１１と、ＬＰＦの出力信号レベルを検波する第２の検波回路１２と、第１および第２の検波回路の検波出力レベルを比較する比較器１３と、比較器の出力に応じてＶＣＯの電流値を制御する制御回路とを具備する。【選択図】図１
2007081708.tif 000002
【特許請求の範囲】
【請求項１】
アンテナから供給される受信信号を増幅するＬＮＡ（低ノイズアンプ）と、
第１のＶＣＯ（電圧制御発振器）と、
前記第１のＶＣＯの出力が供給される第１のローカルアンプと、
前記ＬＮＡの出力と前記第１のローカルアンプが出力するローカル信号とをミキシングすることにより前記受信信号を復調する復調器と、
前記復調器の出力信号を増幅する第１のＧＣＡ（可変利得アンプ）と、
前記第１のＧＣＡの出力信号から妨害波に対応する信号を除去するＬＰＦ（低域フィルタ）と、
前記第１のＧＣＡの出力信号レベルを検波する第１の検波回路と、
前記第１のＬＰＦの出力信号レベルを検波する第２の検波回路と、
前記第１および第２の検波回路の検波出力レベルを比較する比較器と、
前記比較器の出力に応じて前記第１のＶＣＯの電流値を制御する制御回路とを具備する無線装置。
【請求項２】
前記ＬＰＦは減衰量可変ＬＰＦにより構成され、前記制御回路は、前記比較器の出力に応じて前記減衰量可変ＬＰＦの減衰特性を制御する請求項１に記載の無線装置。
【請求項３】
アンテナから供給される受信信号を増幅するＬＮＡと、
第１のＶＣＯと、
前記第１のＶＣＯの出力が供給される第１のローカルアンプと、
前記ＬＮＡの出力と前記第１のローカルアンプが出力するローカル信号とをミキシングすることにより前記受信信号を復調する復調器と、
前記復調器の出力信号を増幅する第１のＧＣＡと、
前記第１のＧＣＡの出力信号から妨害波に対応する信号を除去するＬＰＦと、
受信装置のゲイン制御信号のレベルに応じて、前記第１のＶＣＯの電流値を制御する制御回路とを具備する無線装置。
【請求項４】
前記ＬＰＦは、縦続接続された複数のＬＰＦにより構成され、
前記複数のＬＰＦのいずれかの出力を選択して出力するＬＰＦ切り替えスイッチを備え、
前記制御回路は、前記ゲイン制御信号のレベルに応じて、前記ＬＰＦ切り替えスイッチを制御して前記ＬＰＦの段数を調整する請求項３に記載の無線装置。
【請求項５】
前記ゲイン制御信号がＲＳＳＩ信号、またはＷ−ＣＤＭＡ無線システムにおける基地局からの送信パワー制御信号である請求項３または４に記載の無線装置。
【請求項６】
前記制御回路は、前記比較器の出力または前記ゲイン制御信号のレベルに応じて前記第１のローカルアンプの電流値を制御する請求項１〜５のいずれか１項に記載の無線装置。
【請求項７】
前記第１のＶＣＯの出力が供給される第２のローカルアンプと、
ベースバンド信号と前記第２のローカルアンプが出力するローカル信号により送信信号を生成する変調器とをさらに備えた請求項１〜５のいずれか１項に記載の無線装置。
【請求項８】
第２のＶＣＯと、
前記第２のＶＣＯの出力が供給される第２のローカルアンプと、
ベースバンド信号と前記第２のローカルアンプが出力するローカル信号により送信信号を生成する変調器とをさらに備え、
前記制御回路は、前記比較器の出力または前記ゲイン制御信号のレベルに応じて前記第２のＶＣＯの電流を制御する請求項１〜５のいずれか１項に記載の無線装置。
【請求項９】
前記制御回路は、前記比較器の出力または前記ゲイン制御信号のレベルに応じて前記第１および第２のローカルアンプの電流値を制御する請求項７または８に記載の無線装置。
【請求項１０】
前記第１のＶＣＯの出力が供給される分周器を備え、
前記第１のＶＣＯの発信周波数が受信周波数のＮ倍であり、
前記分周器により１／Ｎ倍に分周された信号をローカル信号が前記ローカルアンプに供給され、
前記制御回路は、前記比較器の出力または前記ゲイン制御信号のレベルに応じて前記分周器の電流を制御する請求項１〜９のいずれか１項に記載の無線装置。
【請求項１１】
前記制御回路は、前記第１および第２のＶＣＯ、前記第１および第２のローカルアンプ、および前記第１のＬＰＦの少なくともいずれかに対する制御を、ＴＤＭＡ無線システムにおける送受信のスロット毎に行う請求項１〜１０のいずれか１項に記載の無線装置。
【発明の詳細な説明】
【技術分野】
【０００１】
本発明は、ローカル信号を供給するためのＶＣＯ（電圧制御発振器）の電流を、必要なＣ／Ｎ特性に応じて制御可能な無線装置に関する。
【背景技術】
【０００２】
従来例の無線装置の構成を、図７に示す。アンテナ１により受信した信号は、ＬＡＮ（低ノイズアンプ）２により増幅された後、ミキサ回路３により、ローカルアンプ５を介して供給されるローカル信号とミキシングすることにより周波数変換される。周波数変換された信号は、ＧＣＡ（可変利得アンプ）１０により増幅された後、ベースバンドＬＰＦ４を介してベースバンド信号として出力される。ローカル信号はＶＣＯ（電圧制御発振器）７及びＰＬＬ６により生成され、ローカルアンプ５を介してミキサ回路３に供給される。また、ＶＣＯ７の電流は、システムモード切替信号９を受けた電流制御回路８により制御される。（例えば特許文献１を参照）
【特許文献１】特開平１０−７９６８２号公報
【発明の開示】
【発明が解決しようとする課題】
【０００３】
上記の従来例のような構成では、例えば、ＧＳＭ、ＵＭＴＳ等、システムを切り替えた場合に、各システムで必要となるローカル信号のＣ／Ｎ特性を、電流を変化させることにより変更することが可能である。ところが、受信中に受信信号レベルが変化し、ローカル信号に必要となるＣ／Ｎ特性が変化した場合においても、受信信号レベル内で必要となる最も高いＣ／Ｎ特性が得られる電流を流しつづける必要があるという課題を有していた。
【０００４】
本発明は、ローカル信号に必要となるＣ／Ｎ特性に応じてＶＣＯの電流値を制御することにより、消費電流の削減を可能とした無線装置を提供することを目的とする。
【課題を解決するための手段】
【０００５】
この課題を解決するために本発明の第１の構成の無線装置は、アンテナから供給される受信信号を増幅するＬＮＡ（低ノイズアンプ）と、第１のＶＣＯ（電圧制御発振器）と、前記第１のＶＣＯの出力が供給される第１のローカルアンプと、前記ＬＮＡの出力と前記第１のローカルアンプが出力するローカル信号により前記受信信号を復調する復調器と、前記復調器の出力信号を増幅する第１のＧＣＡ（可変利得アンプ）と、前記第１のＧＣＡの出力信号から妨害波に対応する信号を除去するＬＰＦ（低域フィルタ）と、前記第１のＧＣＡの出力信号レベルを検波する第１の検波回路と、前記第１のＬＰＦの出力信号レベルを検波する第２の検波回路と、前記第１および第２の検波回路の検波出力レベルを比較する比較器と、前記比較器の出力に応じて前記第１のＶＣＯの電流値を制御する制御回路とを具備する。
【０００６】
本発明の第２の構成の無線装置は、アンテナから供給される受信信号を増幅するＬＮＡと、第１のＶＣＯと、前記第１のＶＣＯの出力が供給される第１のローカルアンプと、前記ＬＮＡの出力と前記第１のローカルアンプが出力するローカル信号により前記受信信号を復調する復調器と、前記復調器の出力信号を増幅する第１のＧＣＡと、前記第１のＧＣＡの出力信号から妨害波に対応する信号を除去するＬＰＦと、受信装置のゲイン制御信号のレベルに応じて、前記第１のＶＣＯの電流値を制御する制御回路とを具備する。
【発明の効果】
【０００７】
本発明によれば、受信信号における所望波信号と妨害波信号のレベルを比較した出力、あるいはゲイン制御信号により表される所望波信号のレベルに基づき、ＶＣＯの電流値を必要となるＣ／Ｎレベルに応じて最適に制御して、無線装置の消費電流を削減するができる。
【発明を実施するための最良の形態】
【０００８】
本発明の第１の構成の無線装置において、前記ＬＰＦは減衰量可変ＬＰＦにより構成され、前記制御回路は、前記比較器の出力に応じて前記減衰量可変ＬＰＦの減衰特性を制御する構成とすることができる。
【０００９】
本発明の第２の構成の無線装置において、前記ＬＰＦは、縦続接続された複数のＬＰＦにより構成され、前記複数のＬＰＦのいずれかの出力を選択して出力するＬＰＦ切り替えスイッチを備え、前記制御回路は、前記ゲイン制御信号のレベルに応じて、前記ＬＰＦ切り替えスイッチを制御して前記ＬＰＦの段数を調整する構成とすることができる。
【００１０】
また、前記ゲイン制御信号がＲＳＳＩ信号、またはＷ−ＣＤＭＡ無線システムにおける基地局からの送信パワー制御信号である構成とすることができる。
【００１１】
本発明の第１または第２の構成の無線装置において、前記制御回路は、前記比較器の出力または前記ゲイン制御信号のレベルに応じて前記第１のローカルアンプの電流値を制御する構成とすることができる。
【００１２】
また、前記第１のＶＣＯの出力が供給される第２のローカルアンプと、ベースバンド信号と前記第２のローカルアンプが出力するローカル信号とをミキシングすることにより送信信号を生成する変調器とをさらに備えた構成とすることができる。
【００１３】
また、第２のＶＣＯと、前記第２のＶＣＯの出力が供給される第２のローカルアンプと、ベースバンド信号と前記第２のローカルアンプが出力するローカル信号とをミキシングすることにより送信信号を生成する変調器とをさらに備え、前記制御回路は、前記比較器の出力または前記ゲイン制御信号のレベルに応じて前記第２のＶＣＯの電流を制御する構成とすることができる。
【００１４】
また、前記制御回路は、前記比較器の出力または前記ゲイン制御信号のレベルに応じて前記第１および第２のローカルアンプの電流値を制御する構成とすることができる。
【００１５】
また、前記第１のＶＣＯの出力が供給される分周器を備え、前記第１のＶＣＯの発信周波数が受信周波数のＮ倍であり、前記分周器により１／Ｎ倍に分周された信号をローカル信号が前記ローカルアンプに供給され、前記制御回路は、前記比較器の出力または前記ゲイン制御信号のレベルに応じて前記分周器の電流を制御する構成とすることができる。
【００１６】
また、前記制御回路は、前記第１および第２のＶＣＯ、前記第１および第２のローカルアンプ、および前記第１のＬＰＦの少なくともいずれかに対する制御を、ＴＤＭＡ無線システムにおける送受信のスロット毎に行う構成とすることができる。
【００１７】
以下、本発明の実施の形態について、図面を参照しながら説明する。
【００１８】
（実施の形態１）
本発明の実施の形態１における無線装置について、図１、２を参照して説明する。図１は受信装置の構成、図２は受信信号と周波数変換後の信号周波数スペクトラムの関係を示す。
【００１９】
アンテナ１はＬＮＡ２に接続されており、受信信号はＬＮＡ２により増幅されて復調器３に入力される。復調器３は、増幅された受信信号をローカルアンプ５を介して供給されるローカル信号とミキシングすることにより受信信号を復調する。復調器３の出力はＧＣＡ１０により増幅され、ベースバンドＬＰＦ４により不要な信号が取り除かれてベースバンド信号が出力される。
【００２０】
また、ＧＣＡ１０の出力は検波回路１１により検波され、ベースバンド信号は検波回路１２により検波される。検波回路１１の検波出力と検波回路１２の検波出力は、比較器１３により比較され、その出力は電流制御回路８に入力される。電流制御回路８の出力は、ローカルアンプ５およびＶＣＯ７に供給されて電流を制御する。
【００２１】
ここで、図２を参照して、受信信号の周波数関係について説明する。アンテナ１から所望信号１０８、及び周波数ｆ２の妨害波１０３が入力される。復調器３により周波数変換されて、ベースバンド信号１０５、及び妨害波変換信号１０９が得られる。妨害波変換信号１０９はベースバンドＬＰＦ４により除去される。
【００２２】
ベースバンド信号１０５及び、妨害波変換信号１０９の周波数構成は、以下のとおりである。すなわち、ローカル信号１０１のセンター周波数ｆ０部と、所望信号の周波数ｆ１部１０２がミキシングされて、周波数（ｆ１−ｆ０）の周波数ｆ１部変換信号スペクトラム１０６が得られる。同様に、ローカル信号１０１のノイズ周波数ｆ２をもつ妨害波ミキシングノイズ１０４と、周波数ｆ３の妨害波１０３がミキシングされ、周波数（ｆ３−ｆ２）の周波数ｆ３変換信号スペクトラム１０７が得られる。
【００２３】
以上のように、ベースバンド信号１０５には、所望波信号１０８と妨害波信号１０３の変換信号が混合されているため、所望波信号１０８のパワーレベルが妨害波信号１０３に対し低くなると、周波数ｆ３変換信号スペクトラム１０７の影響が大きくなり、正確な復調ができなくなる。
【００２４】
所望波信号１０８のパワーレベルが高い場合、或いは、妨害波信号１０３のパワーレベルが低い場合は、ローカル信号１０１のＣ／Ｎ特性は相対的に悪くてもよい。一方、所望波信号１０８のパワーレベルが低い場合、或いは、妨害波信号１０３のパワーレベルが高い場合は、ローカル信号１０１のＣ／Ｎ特性は相対的に良くする必要がある。
【００２５】
例えば、周波数ｆ０，ｆ１，ｆ２，ｆ３のパワーレベルをそれぞれ、０ｄＢｍ，−８０ｄＢｍ，−５０ｄＢｍ，−３０ｄＢｍとし、ミキシングによるゲインを０ｄＢとすると、周波数ｆ１変換信号スペクトラム１０６は−８０ｄＢｍ、周波数ｆ３変換信号スペクトラム１０７は−８０ｄＢｍとなる。所望信号ｆ１の周波数レベルが−８０ｄＢｍから−５０ｄＢｍに高くなった場合、ミキシングによるゲインを０ｄＢとすると、周波数ｆ１変換信号スペクトラム１０６は−５０ｄＢｍとなり、周波数ｆ３変換信号スペクトラム１０７が同じ−５０ｄＢｍとなるノイズ周波数ｆ２信号レベルは−２０ｄＢｍとなる。
【００２６】
妨害波信号を含むＧＣＡ１０の出力を検波回路１１において検波した出力と、ベースバンド信号を検波回路１２において検波した出力を、比較器１３において比較し、検波回路１１と検波回路１２の差電圧に比例する電圧を出力することにより、妨害波信号１０３のパワーレベルと所望波信号１０８のパワーレベルのレベル比率が得られる。
【００２７】
妨害波信号１０３のパワーレベルと所望波信号１０８のパワーレベルのレベル比率に基づき、電流制御回路８において最適なローカル信号のＣ／Ｎ特性を換算し、ローカルアンプ５，ＶＣＯ７の電流を制御することにより、電流の削減を図ることができる。
【００２８】
上記の構成によれば、受信レベルが変化し、ローカル信号の必要なＣ／Ｎ特性が変化した場合においても、最適なＣ／Ｎ特性のローカル信号が得られ、不要な消費電流を削減した無線装置を得ることできる。
【００２９】
（実施の形態２）
本発明の実施の形態２における無線装置の構成を、図３に示す。図１に示した実施の形態１の構成と同様の要素については、同一の参照符号を付して、説明の繰り返しを省略する。受信信号と周波数変換後の信号周波数スペクトラムの関係は、図２に示したとおりである。
【００３０】
本実施の形態においては、ＧＣＡ１０の出力信号は、縦属接続されたベースバンドＬＰＦ４，２１，２２により不要な信号が除去される。そして、ベースバンドＬＰＦ切り替えスイッチ２３により、ベースバンドＬＰＦ４，２１，２２のいずれかの出力がベースバンド信号として出力される。それにより、必要な減衰量のフィルタ特性が選択され、ベースバンド信号が調整される。また、図示していない要素により供給される受信のゲイン制御信号が制御回路２０に供給され、制御回路２０により、ローカルアンプ５，ＶＣＯ７の電流の制御及び、ベースバンドＬＰＦ切り替えスイッチ２３の制御が行われる。
【００３１】
ゲイン制御信号により所望波信号のパワーレベルが得られるので、制御回路２０により、所望波信号のパワーレベルに応じて最適なローカル信号のＣ／Ｎ特性を換算することができる。それに基づいてローカルアンプ５，ＶＣＯ７の電流を制御することにより、電流の削減を図る。また、所望波信号のパワーレベルが高い場合はＳ／Ｎ特性が良いため、フィルタの減衰量を緩和することが可能である。したがって、ベースバンドＬＰＦスイッチ２３によりベースバンドＬＰＦ４，２１，２２の経路を切り替えて、電流削減を図る。
【００３２】
上記の構成によれば、受信レベルが変化し、ローカル信号の必要なＣ／Ｎ特性が変化した場合においても、最適なＣ／Ｎが得られ、不要な消費電流を削減した無線装置を得ることできる。また、ベースバンドＬＰＦの必要な減衰特性が変化した場合においても、必要となるベースバンドＬＰＦの経路を切り替えることにより、不要な消費電流を削減することできる。
【００３３】
なお、制御回路２０に入力される信号をゲイン制御信号としたが、ＲＳＳＩの信号、或いは、Ｗ−ＣＤＭＡシステムにおいては基地局からのＴｘ出力レベル制御信号を用いることも可能である。
【００３４】
（実施の形態３）
本発明の実施の形態３における無線装置の構成を、図４に示す。図１に示した実施の形態１の構成と同様の要素については、同一の参照符号を付して、説明の繰り返しを省略する。受信信号と周波数変換後の信号周波数スペクトラムの関係は、図２に示したとおりである。
【００３５】
本実施の形態においては、ＶＣＯ７は受信周波数の逓倍で発振しており、分周器２５により受信周波数に分周された信号がローカルアンプ５に供給される。ＧＣＡ１０の出力信号は、減衰量可変ベースバンドＬＰＦ２４により不要な信号が除去され、ベースバンド信号として出力される。また、比較器１３の出力は制御回路２５に入力され、制御回路２５により、ローカルアンプ５，分周器２５、ＶＣＯ７の電流、及び、減衰量可変ベースバンドＬＰＦ２４の減衰特性が制御される。
【００３６】
比較器１３による妨害波信号１０３のパワーレベルと所望波信号１０８のパワーレベル（図２参照）を比較した結果に基づき、制御回路２０により最適なローカル信号のＣ／Ｎ特性を換算し、ローカルアンプ５，分周器２５、ＶＣＯ７の電流を制御することによって、電流の削減を図る。また、所望波信号１０８のパワーレベルが高い場合はＳ／Ｎ特性が良いため、フィルタの減衰量も緩和可能であり、減衰量可変ベースバンドＬＰＦ２４の減衰量を最適化し電流削減を図る。
【００３７】
上記の構成によれば、受信レベルが変化し、ローカル信号の必要なＣ／Ｎ特性が変化した場合においても、最適なＣ／Ｎが得られ、不要な消費電流を削減した無線装置を得ることできる。また、ベースバンドＬＰＦの必要な減衰特性が変化した場合においても、必要となるベースバンドＬＰＦの減衰量を最適化させることにより、不要な消費電流を削減した無線装置を得ることできる。
【００３８】
（実施の形態４）
本発明の実施の形態４における無線装置の構成を、図５に示す。図１に示した実施の形態１の構成と同様の要素については、同一の参照符号を付して、説明の繰り返しを省略する。受信信号と周波数変換後の信号周波数スペクトラムの関係は、図２に示したとおりである。
【００３９】
本実施の形態においては、アンテナ１はアンテナスイッチ１４に接続されており、受信信号はアンテナ１よりＬＮＡ２に送られ、送信信号は可変増幅器１９よりアンテナ１へ送られる。送信信号は、変調器１８に入力されるベースバンド入力と、ＶＣＯ７からローカルアンプ１５を介して注入されるローカル信号により生成され、ＰＡ，ドライバアンプで構成される可変増幅器１９に送られ、アンテナスイッチ１４を介してアンテナ１へ送られる。
【００４０】
上記の回路構成を有する無線信装置の動作について、以下に説明する。例えばＴＤＭＡ無線システムにおいて、アンテナ１に受信した受信信号は、アンテナスイッチ１４により、ＬＡＮ２に送られ、図１に示した実施の形態１と同様にして、ベースバンド信号が出力されるとともに、比較器１３の出力に基づいて電流制御回路８によりローカルアンプ５，ＶＣＯ７の電流が制御される。すなわち、妨害波信号１０３のパワーレベルと所望波信号１０８のパワーレベルに基づき、電流制御回路８にて最適なローカル信号のＣ／Ｎ特性を換算し、ローカルアンプ５，ＶＣＯ７の電流を制御することにより電流の削減が図られる。
【００４１】
送信信号の必要ノイズ特性を得るために、送信信号の出力レベルが高い場合はローカル信号に高いＣ／Ｎ特性が求められ、送信信号の出力レベルが低い場合はＣ／Ｎ特性が低くても良い。そのため、受信同様に、電流制御回路８により最適なローカル信号のＣ／Ｎ特性を換算し、ローカルアンプ１５，ＶＣＯ７の電流を制御することにより電流の削減を図る。
【００４２】
上記の構成によれば、受信レベルが変化し、ローカル信号の必要なＣ／Ｎ特性が変化した場合においても、最適なＣ／Ｎが得られ、不要な消費電流を削減した無線装置を得ることできる。また、必要送信レベルが変化し、ローカル信号に必要なＣ／Ｎ特性が変化した場合においても、最適なＣ／Ｎが得られ、不要な消費電流を削減した無線装置を得ることできる。
【００４３】
（実施の形態５）
本発明の実施の形態５における無線装置の構成を、図６に示す。図３に示した実施の形態２および図５に示した実施の形態４における構成と同様の要素については、同一の参照符号を付して、説明の繰り返しを省略する。受信信号と周波数変換後の信号周波数スペクトラムの関係は、図２に示したとおりである。
【００４４】
本実施の形態においては、アンテナ１は共用器２６に接続されており、受信信号はアンテナ１よりＬＮＡ２に送られ、送信信号は可変増幅器１９よりアンテナ１へ送られる。送信信号の生成に用いられるローカル信号を供給するためのローカルアンプ１５、ＰＬＬ１６およびＶＣＯ１７は、受信側とは別個に設けられている。
【００４５】
ゲイン制御信号が制御回路２０に入力され、制御回路２０により、受信側のローカルアンプ５，ＶＣＯ７、および送信側のローカルアンプ１５、ＶＣＯ１７の電流が制御される。
【００４６】
ゲイン制御信号により所望波信号１０８のパワーレベルが得られるため、制御回路２０により最適なローカル信号のＣ／Ｎ特性を換算し、ローカルアンプ５、ＶＣＯ７の電流を制御することにより電流の削減が図られる。
【００４７】
また、送信信号の必要ノイズ特性を得るために、送信信号の出力レベルが高い場合はローカル信号として高いＣ／Ｎ特性が求められ、送信信号の出力レベルが低い場合はＣ／Ｎ特性が低くても良い。
【００４８】
受信装置において必要なゲインが高いことは、送信装置において必要な出力レベルが高いことを意味する。したがって、ゲイン制御信号により必要な送信出力レベルが得られるため、制御回路２０にて最適なローカル信号のＣ／Ｎ特性を換算し、ローカルアンプ１５，ＶＣＯ１７の電流を制御することにより電流の削減が図られる。
【００４９】
上記の構成によれば、受信レベルが変化し、ローカル信号の必要なＣ／Ｎ特性が変化した場合においても、最適なＣ／Ｎが得られ、不要な消費電流を削減した無線装置を得ることできる。また、必要送信レベルが変化し、ローカル信号に必要なＣ／Ｎ特性が変化した場合においても、最適なＣ／Ｎが得られ、不要な消費電流を削減した無線装置を得ることできる。
【００５０】
なお、制御回路２０に入力される信号をゲイン制御信号としたが、ＲＳＳＩの信号、或いは、Ｗ−ＣＤＭＡシステムにおいては基地局からのＴｘ出力レベル制御信号を用いることも可能である。
【産業上の利用可能性】
【００５１】
本発明の無線装置は、送受信レベルに応じてＶＣＯの電流値を最適に制御することができ、ローカル回路及びベースバンドＬＰＦの電流削減に有効である。
【図面の簡単な説明】
【００５２】
【図１】本発明の実施の形態１における無線装置を示すブロック図
【図２】本発明の各実施の形態における受信信号と周波数変換後の信号周波数スペクトラムの関係を示す周波数スペクトラム図
【図３】本発明の実施の形態２における無線装置を示すブロック図
【図４】本発明の実施の形態３における無線装置を示すブロック図
【図５】本発明の実施の形態４における無線装置を示すブロック図
【図６】本発明の実施の形態５における無線装置を示すブロック図
【図７】従来例の無線装置を示すブロック図
【符号の説明】
【００５３】
１  アンテナ
２  ＬＮＡ
３  復調器
４，２１，２２  ベースバンドＬＰＦ
５，１５  ローカルアンプ
６，１６  ＰＬＬ
７，１７  ＶＣＯ
８  電流制御回路
９  システムモード切り替え信号
１０  ＧＣＡ
１１，１２  検波回路
１３  比較器
１４  アンテナスイッチ
１８  変調器
１９  可変増幅器
２０  制御回路
２３  ベースバンドＬＰＦ切り替えスイッチ
２４  減衰量可変ベースバンドＬＰＦ
２５  分周器
２６  共用器
１０１  ローカル信号
１０２  周波数ｆ１部
１０３  妨害波
１０４  妨害波ミキシングノイズ
１０５  ベースバンド信号
１０６  周波数ｆ１部変換信号スペクトラム
１０７  周波数ｆ３変換信号スペクトラム
１０８  所望信号
１０９  妨害波変換信号
【図１】
2007081708.tif 000003
【図２】
2007081708.tif 000004
【図３】
2007081708.tif 000005
【図４】
2007081708.tif 000006
【図５】
2007081708.tif 000007
【図６】
2007081708.tif 000008
【図７】
2007081708.tif 000009